(57)【要約】【課題】本発明は、ユーザのスポットエリア位置情報に基づくスポット情報を、認証されたユーザに配信するシステム及び方法の提供を目的とする。【解決手段】本発明は、無線ＬＡＮ基地局をユーザ位置検出装置として利用して基地局設置スポット近傍での位置検出を行い、無線ＬＡＮシステムの認証情報からユーザ識別情報を取得し、個人属性、履歴情報を参照して、ユーザ端末へ特定ユーザのための情報やサービスを送信する。情報の受信手段としては、ＰＤＣ、ＰＨＳ、又は、無線ＬＡＮ端末を利用する。【選択図】        図１
2004240708.tif 000002
【特許請求の範囲】
【請求項１】
カバーエリア内の無線ＬＡＮ端末と無線リンクを確立し、無線リンクを確立した無線ＬＡＮ端末をネットワークに接続する無線ＬＡＮ基地局と、
上記無線ＬＡＮ基地局に接続され、上記無線ＬＡＮ基地局に接続されている無線ＬＡＮ端末のユーザが正当なユーザであるかどうかを確認する認証サーバと、正当なユーザであることが確認された認証済みユーザの無線ＬＡＮ端末の端末アドレス及び上記無線ＬＡＮ基地局の無線ＬＡＮ基地局アドレスを上記無線ＬＡＮ基地局から取得し、上記認証済みユーザの認証データを上記認証サーバから取得する管理サーバと、
位置情報毎に関連付けられた提供情報を収集・蓄積するサービスアグリゲーションサーバと、が設けられ、
上記管理サーバは、上記認証済みユーザの無線ＬＡＮ端末が接続された上記無線ＬＡＮ基地局の無線ＬＡＮ基地局アドレスから位置情報を生成し、上記認証データから個人情報を生成し、上記認証済みユーザに関連した位置情報及び個人情報を上記サービスアグリゲーションサーバへ送信するよう構成され、
上記サービスアグリゲーションサーバは、上記管理サーバから送信された上記認証済みユーザに関連した位置情報及び個人情報に基づいて、収集・蓄積された提供情報の中から上記認証済みユーザに関連した提供情報を選択し、上記認証済みユーザのユーザ端末に送信するよう構成されている、位置情報に基づく情報配信システム。
【請求項２】
上記サービスアグリゲーションサーバは、上記認証済みユーザに関連して選択された上記提供情報の送信先のユーザ端末を、上記個人情報に基づいて選択できるように構成されている、請求項１記載の情報配信システム。
【請求項３】
上記認証済みユーザのユーザ端末は、上記認証済みユーザの上記無線ＬＡＮ端末であり、
上記サービスアグリゲーションサーバは、上記認証済みユーザに関連して選択された上記提供情報を、上記無線ＬＡＮ基地局を介して、上記認証済みユーザの上記無線ＬＡＮ端末へ送信するよう構成されている、請求項１又は２記載の情報配信システム。
【請求項４】
上記認証済みユーザのユーザ端末は、上記認証済みユーザの携帯電話機であり、
上記サービスアグリゲーションサーバは、上記認証済みユーザに関連して選択された上記提供情報を、携帯電話基地局を介して、上記認証済みユーザの上記携帯電話機へ送信するよう構成されている、請求項１又は２記載の情報配信システム。
【請求項５】
上記サービスアグリゲーションサーバは、ネットワークを介して接続されたサービス提供サーバから、ユーザに提供されるべき情報を定期的に収集し、上記提供情報を更新する、請求項１乃至４のうちいずれか一項記載の情報配信システム。
【請求項６】
無線ＬＡＮ基地局と、上記無線ＬＡＮ基地局のカバーエリア内の無線ＬＡＮ端末との間で無線リンクを確立する手順と、
上記無線ＬＡＮ基地局に接続されている上記無線ＬＡＮ端末のユーザが正当なユーザであるかどうかを確認する手順と、
正当なユーザであることが確認された認証済みユーザの無線ＬＡＮ端末の端末アドレス、上記認証済みユーザの無線ＬＡＮ端末が接続されている無線ＬＡＮ基地局の無線ＬＡＮ基地局アドレス、及び、上記認証済みユーザの認証データを取得する手順と、
上記認証済みユーザの無線ＬＡＮ端末が接続されている無線ＬＡＮ基地局の無線ＬＡＮ基地局アドレスから位置情報を生成し、上記認証データから個人情報を生成する手順と、
上記認証済みユーザに関連した位置情報及び個人情報に基づいて、収集・蓄積された提供情報の中から上記認証済みユーザに関連した提供情報を選択する手順と、
上記選択された提供情報を上記認証済みユーザに提供する手順と、
を有する位置情報に基づく情報配信方法。
【請求項７】
上記選択された提供情報を上記認証済みユーザに提供する手順は、上記提供情報を、上記無線ＬＡＮ基地局を介して、上記認証済みユーザの上記無線ＬＡＮ端末へ送信する手順を含む、請求項６記載の情報配信方法。
【請求項８】
上記選択された提供情報を上記認証済みユーザに提供する手順は、上記提供情報を、携帯電話基地局を介して、上記認証済みユーザの携帯電話機へ送信する手順を含む、請求項６記載の情報配信方法。
【発明の詳細な説明】
【０００１】
【発明の属する技術分野】
本発明は、ユーザの位置情報に基づいてユーザに情報やサービスを提供するシステム及び方法に関する。
【０００２】
【従来の技術】
従来、ユーザの位置を検出して、ユーザが携帯しているユーザ端末に情報を配信する技術として、ＧＰＳを利用してユーザ位置を検出するシステムがある。ＧＰＳを利用する場合、ユーザは屋外に居ることが想定されている。また、ＧＰＳは、原則として、位置検出機能しか備えていないので、ＧＰＳに基づくシステムでは、ユーザを識別するために別の手段を設けている。
【０００３】
これに対して、ユーザの位置検出機能とユーザの識別機能を備えたシステムとしては、ＰＤＣやＰＨＳを利用した情報提供システムが提案されている。ＰＤＣを利用する場合、位置検出精度は、１ｋｍ〜であり、ＰＨＳの場合、位置検出精度は１００ｍ〜である。
【０００４】
【発明が解決しようとする課題】
このように、ＧＰＳでは屋内では使用できないという制限がある。また、ＰＤＣ、ＰＨＳでは受信対象エリアが広いという制限がある。そのため、これらの従来技術による情報配信サービスでは、屋内外を問わずに、ユーザの位置をスポットレベルで同定することが困難であり、その結果として、ユーザに対して、狭い範囲内の情報、特に、スポット情報を提供することができない、という問題点が生じる。
【０００５】
また、ＰＤＣやＰＨＳの場合は、受信速度の制約があるので、プロモーション映像等の動画を配信する状況では実現性や受信コストの問題がある。
【０００６】
したがって、本発明は、ユーザのスポットエリア位置情報及び認証データを用いて識別された特定のユーザの個人情報に基づくスポット情報を、識別された特定のユーザに配信するシステム及び方法の提供を目的とする。
【０００７】
【課題を解決するための手段】
上記従来技術の問題点に鑑みて、本発明は、無線ＬＡＮ基地局をユーザ位置検出装置として利用して基地局設置スポット近傍での位置検出を行い、ユーザに固有の認証情報からユーザ識別情報を取得し、個人属性、履歴情報を参照して、ユーザ端末へ特定ユーザのための情報やサービスを送信する。情報の受信手段としては、ＰＤＣ、ＰＨＳ、又は、無線ＬＡＮ端末が利用される。
【０００８】
請求項１に記載の発明は、カバーエリア内の無線ＬＡＮ端末と無線リンクを確立し、無線リンクを確立した無線ＬＡＮ端末をネットワークに接続する無線ＬＡＮ基地局と、
上記無線ＬＡＮ基地局に接続され、上記無線ＬＡＮ基地局に接続されている無線ＬＡＮ端末のユーザが正当なユーザであるかどうかを確認する認証サーバと、正当なユーザであることが確認された認証済みユーザの無線ＬＡＮ端末の端末アドレス及び上記無線ＬＡＮ基地局の無線ＬＡＮ基地局アドレスを上記無線ＬＡＮ基地局から取得し、上記認証済みユーザの認証データを上記認証サーバから取得する管理サーバと、
位置情報毎に関連付けられた提供情報を収集・蓄積するサービスアグリゲーションサーバと、が設けられ、
上記管理サーバは、上記認証済みユーザの無線ＬＡＮ端末が接続された上記無線ＬＡＮ基地局の無線ＬＡＮ基地局アドレスから位置情報を生成し、上記認証データから個人情報を生成し、上記認証済みユーザに関連した位置情報及び個人情報を上記サービスアグリゲーションサーバへ送信するよう構成され、
上記サービスアグリゲーションサーバは、上記管理サーバから送信された上記認証済みユーザに関連した位置情報及び個人情報に基づいて、収集・蓄積された提供情報の中から上記認証済みユーザに関連した提供情報を選択し、上記認証済みユーザのユーザ端末に送信するよう構成されている、位置情報に基づく情報配信システムである。
【０００９】
このように、本発明は、認証データを利用した個人識別と、無線ＬＡＮ端末が接続された無線ＬＡＮ基地局の無線ＬＡＮ基地局からの位置情報（ユーザ位置情報）の取得を特徴とする。これにより、無線ＬＡＮシステムの認証データと所有者（すなわち、ユーザ）を対応させて、ユーザのスポットエリア位置情報及び認証データを用いて識別された特定のユーザの個人情報に基づくスポット情報を、識別された特定のユーザに配信する情報サービスを提供することが可能になる。
【００１０】
請求項２に記載の発明によれば、上記サービスアグリゲーションサーバは、上記認証済みユーザに関連して選択された上記提供情報の送信先のユーザ端末を、上記個人情報に基づいて選択できるように構成されている。
【００１１】
これにより、スポットエリア位置情報に基づく情報配信サービスの情報送信先をユーザの都合に応じて変更することが可能になる。
【００１２】
請求項３に記載の発明によれば、上記認証済みユーザのユーザ端末は、上記認証済みユーザの上記無線ＬＡＮ端末であり、
上記サービスアグリゲーションサーバは、上記認証済みユーザに関連して選択された上記提供情報を、上記無線ＬＡＮ基地局を介して、上記認証済みユーザの上記無線ＬＡＮ端末へ送信するよう構成されている。
【００１３】
これは、位置情報取得、ユーザ認証、及び、情報配信に無線ＬＡＮシステムだけを使用する構成である。
【００１４】
請求項４に記載の発明によれば、上記認証済みユーザのユーザ端末は、上記認証済みユーザの携帯電話機であり、
上記サービスアグリゲーションサーバは、上記認証済みユーザに関連して選択された上記提供情報を、携帯電話基地局を介して、上記認証済みユーザの上記携帯電話機へ送信するよう構成されている。
【００１５】
これは、位置情報取得及びユーザ認証に無線ＬＡＮシステムを使用し、情報配信に携帯電話システムを使用する構成である。
【００１６】
請求項５に記載の発明によれば、上記サービスアグリゲーションサーバは、ネットワークを介して接続されたサービス提供サーバから、ユーザに提供されるべき情報を定期的に収集し、上記提供情報を更新する。
【００１７】
これにより、ユーザに対して常に最新の情報やサービスを提供できるようなる。また、情報提供元の便宜が図られる。
【００１８】
請求項６に記載の発明は、無線ＬＡＮ基地局と、上記無線ＬＡＮ基地局のカバーエリア内の無線ＬＡＮ端末との間で無線リンクを確立する手順と、
上記無線ＬＡＮ基地局に接続されている上記無線ＬＡＮ端末のユーザが正当なユーザであるかどうかを確認する手順と、
正当なユーザであることが確認された認証済みユーザの無線ＬＡＮ端末の端末アドレス、上記認証済みユーザの無線ＬＡＮ端末が接続されている無線ＬＡＮ基地局の無線ＬＡＮ基地局アドレス、及び、上記認証済みユーザの認証データを取得する手順と、
上記認証済みユーザの無線ＬＡＮ端末が接続されている無線ＬＡＮ基地局の無線ＬＡＮ基地局アドレスから位置情報を生成し、上記認証データから個人情報を生成する手順と、
上記認証済みユーザに関連した位置情報及び個人情報に基づいて、収集・蓄積された提供情報の中から上記認証済みユーザに関連した提供情報を選択する手順と、
上記選択された提供情報を上記認証済みユーザに提供する手順と、
を有する位置情報に基づく情報配信方法である。
【００１９】
この方法によれば、無線ＬＡＮシステムの認証データと所有者（すなわち、ユーザ）を対応させて、ユーザのスポットエリア位置情報及び認証データを用いて識別された特定のユーザの個人情報に基づくスポット情報を、識別された特定のユーザに配信する情報サービスを提供することが可能になる。
【００２０】
請求項７に記載の発明によれば、上記選択された提供情報を上記認証済みユーザに提供する手順は、上記提供情報を、上記無線ＬＡＮ基地局を介して、上記認証済みユーザの上記無線ＬＡＮ端末へ送信する手順を含む。
【００２１】
また、請求項８に記載の発明によれば、上記選択された提供情報を上記認証済みユーザに提供する手順は、上記提供情報を、携帯電話基地局を介して、上記認証済みユーザの携帯電話機へ送信する手順を含む。
【００２２】
これにより、ユーザは、情報やサービスの取得手段として、ユーザの無線ＬＡＮ端末やユーザの携帯電話機を利用できるようになる。
【００２３】
【発明の実施の形態】
以下、添付図面を参照して本発明の種々の実施例を詳細に説明する。全ての図面を通じで、同一若しくは同等の構成要素又は機能には、同じ参照番号が付けられている。
【００２４】
図１は、本発明の第１実施例による位置情報に基づく情報配信システムの構成図である。
【００２５】
本実施例の情報配信システムは、無線ＬＡＮシステム１０を含む。無線ＬＡＮシステム１０は、カバーエリア２０内の無線ＬＡＮ端末１と無線リンクを確立し、無線リンクを確立した無線ＬＡＮ端末１をネットワークに接続する一つ以上の無線ＬＡＮ基地局２を有する。無線ＬＡＮシステム１０の事業者の局舎内、例えば、データセンター等には認証サーバ３が設置される。認証サーバ３は、多数の無線ＬＡＮ基地局２に接続され、無線ＬＡＮ基地局２から送信される認証データを認証する（無線ＬＡＮ基地局２に接続されている無線ＬＡＮ端末１のユーザが正当なユーザであるかどうかを確認する）。無線ＬＡＮ基地局２は、例えば、レストラン街、商店街、個々のレストラン、或いは、個々の店舗などに設置されている。無線ＬＡＮ端末１は、例えば、レストラン街、商店街、個々のレストラン、或いは、個々の店舗などを訪れる個人（ユーザ）が携帯している。無線ＬＡＮシステム１０が接続されるネットワークには、インターネット、イントラネットなどが含まれる。
【００２６】
情報配信システムは、正当なユーザであることが確認された認証済みユーザの無線ＬＡＮ端末１の端末識別情報及び上記認証済みユーザの認証データを上記無線ＬＡＮシステム１０から取得する管理サーバ４５を含む。情報配信システムは、さらに、位置情報毎に関連付けられた提供情報を収集・蓄積するサービスアグリゲーションサーバ６を含む。提供情報には、レストランや商店から、ユーザに対する一般的な情報や、特典情報のようなサービスが含まれる。
【００２７】
上記管理サーバ４５は、上記認証済みユーザの無線ＬＡＮ端末１が接続されている無線ＬＡＮ基地局２の位置から位置情報を生成し、上記認証データから個人情報を生成し、上記認証済みユーザに関連した位置情報及び個人情報を上記サービスアグリゲーションサーバ６へ送信する。個人情報には、ユーザ識別情報、ユーザ属性情報、及び、ユーザ履歴情報等が含まれる。
【００２８】
上記サービスアグリゲーションサーバ６は、上記管理サーバ４５から送信された上記認証済みユーザに関連した位置情報及び個人情報に基づいて、収集・蓄積された提供情報の中から上記認証済みユーザに関連した提供情報を選択し、上記認証済みユーザのユーザ端末１又は９に送信する。
【００２９】
したがって、本発明の第１実施例の情報配信システムは、特定のユーザに関するユーザ位置情報と、ユーザ識別情報、ユーザ属性情報及びユーザ履歴情報のような個人情報とに基づいて、当該特定のユーザにとって有用な情報を配信することが可能である。
【００３０】
上記サービスアグリゲーションサーバ６は、上記認証済みユーザに関連して選択された上記提供情報の送信先のユーザ端末を、上記個人情報に基づいて、無線ＬＡＮ端末１と携帯電話機９の間で選択できるように構成されている。
【００３１】
上記認証済みユーザのユーザ端末が上記認証済みユーザの上記無線ＬＡＮ端末１であるとき、上記サービスアグリゲーションサーバ６は、上記認証済みユーザに関連して選択された上記提供情報を、上記無線ＬＡＮ基地局２を介して、上記認証済みユーザの上記無線ＬＡＮ端末１へ送信する。
【００３２】
上記認証済みユーザのユーザ端末が上記認証済みユーザの携帯電話機９であるとき、上記サービスアグリゲーションサーバ６は、上記認証済みユーザに関連して選択された上記提供情報を、携帯電話基地局８を介して、上記認証済みユーザの上記携帯電話機９へ送信する。
【００３３】
上記サービスアグリゲーションサーバ６は、ネットワークを介して接続されたサービス提供サーバ７から、ユーザに提供されるべき情報を定期的に収集し、上記提供情報を更新する。サービス提供サーバ７には、たとえば、レストランや店舗が開設しているホームページや、インターネットサービスプロバイダが提供しているホームページなどが含まれる。
【００３４】
ユーザが商店街に居る場合を想定すると、サービスアグリゲーションサーバ６は、一例として、各店舗のお奨め商品を含む取扱商品や割引情報を収集する。これらの情報は、各サービス提供サーバ７に存在し、サービスアグリゲーションサーバ６が定期的に収集、更新、登録する。
【００３５】
管理サーバ４５は、位置情報を管理する部分と、個人識別・属性・履歴を管理する部分とにより構成することができる。位置情報管理部では、無線ＬＡＮ基地局２からの識別情報、例えば、無線ＬＡＮ基地局２のアドレス情報によって、無線ＬＡＮ基地局２に接続している無線ＬＡＮ端末１の現在位置、すなわち、ユーザの現在位置を特定することができる。ユーザの現在位置情報は、無線ＬＡＮ基地局の設置場所の経度・緯度と関連付ける方式（Ａ方式）と、無線ＬＡＮ基地局の識別番号と関連付ける方式（Ｂ方式）と、が考えられる。
【００３６】
Ａ方式の場合、サービスアグリゲーションサーバ６では、提供情報を経度・緯度による位置情報と関連付け、ユーザの現在位置情報から所定の距離の範囲内の位置情報に関連付けられた提供情報をユーザへ配信する。Ｂ方式の場合、サービスアグリゲーションサーバ６では、提供情報を無線ＬＡＮ基地局の識別番号と関連付け、ユーザの現在位置情報と一致する無線ＬＡＮ基地局の識別番号に関連付けられた提供情報をユーザへ配信する。
【００３７】
管理サーバ４５の個人識別・属性・履歴管理部では、ユーザの個人識別情報、個人属性情報、個人履歴を管理する。無線ＬＡＮ端末１のユーザは、無線ＬＡＮシステムによって認証されているので、そのユーザを特定できる。また、管理サーバ４５には個人属性情報として、例えば、年齢、性別、職業、趣味等が格納されている。さらに、管理サーバ４５は、ユーザにサービスアグリゲーションサーバ６送信された情報を情報提供ログとして格納し、それを情報提供ログとして各個人ごとに対応させて管理する。
【００３８】
本実施例の構成によれば、サービスアグリゲーションサーバ６は位置情報からユーザの現在位置に近い店舗の情報をユーザの個人属性を考慮して（例えば、男性ならば、化粧品、美容院等の情報を事前に除去し、嗜好にあわせた情報（遊戯施設等の情報））送信することができる。また、情報提供ログを管理していることから過去に出した情報を出さない等を含め、個人指向の情報提供が可能である。
【００３９】
図２は、本発明の第２実施例による位置情報に基づく情報配信方法のフローチャートである。この情報配信方法は、カバーエリア２０内の無線ＬＡＮ端末１と無線リンクを確立し、無線リンクを確立した無線ＬＡＮ端末１をネットワークに接続する無線ＬＡＮ基地局２、及び、上記無線ＬＡＮ基地局２に接続され、上記無線ＬＡＮ基地局２に接続されている無線ＬＡＮ端末１のユーザが正当なユーザであるかどうかを確認する認証サーバ３を有する無線ＬＡＮシステムで実施される。
【００４０】
ステップ１０１：無線ＬＡＮ基地局２と、上記無線ＬＡＮ基地局２のカバーエリア２０内の無線ＬＡＮ端末１との間で無線リンクを確立する。
【００４１】
ステップ１０２：上記無線ＬＡＮ基地局２に接続されている上記無線ＬＡＮ端末１のユーザが正当なユーザであるかどうかを確認する。
【００４２】
ステップ１０３：正当なユーザであることが確認された認証済みユーザの無線ＬＡＮ端末１の端末アドレス、接続している無線ＬＡＮ基地局２の無線ＬＡＮ基地局アドレス及び上記認証済みユーザの認証データを取得する。
【００４３】
ステップ１０４：上記無線ＬＡＮ基地局２の無線ＬＡＮ基地局アドレスから位置情報を生成し、上記認証データから個人情報を生成する。
【００４４】
ステップ１０５：上記認証済みユーザに関連した位置情報及び個人情報に基づいて、収集・蓄積された提供情報の中から上記認証済みユーザに関連した提供情報を選択する。
【００４５】
ステップ１０６：上記選択された提供情報を上記認証済みユーザに提供する。
【００４６】
ステップ１０６は、上記提供情報を、上記無線ＬＡＮ基地局を介して、上記認証済みユーザの上記無線ＬＡＮ端末へ送信するステップ、又は、上記提供情報を、携帯電話基地局を介して、上記認証済みユーザの携帯電話機へ送信するステップを選択的に実行できる。
【００４７】
上記本発明の第１実施例及び第２実施例によれば、特定のユーザに関するユーザ位置情報、ユーザ識別情報、及び、ユーザ属性情報に基づいて、当該特定のユーザにとって有用な情報を配信するサービスを実現することができる。
【００４８】
図３は、本発明の第３実施例による位置情報に基づく情報配信及びサービス提供システムの構成図であり、図４は、そのシーケンス説明図である。本実施例のシステムは、無線ＬＡＮシステムをベースにして構築される。
【００４９】
現在の無線ＬＡＮを用いたサービスシステムは、ユーザが使用する無線ＬＡＮ端末１、無線ＬＡＮ基地局２、及び、認証サーバ３を基本的な構成要素としている。認識サーバ３が、無線ＬＡＮ基地局２との間で無線リンクを確立した無線ＬＡＮ端末１から入力されたユーザＩＤ、パスワード等の認証データに基づいて、無線ＬＡＮ端末１のユーザが正当なユーザであることを確認する。その後、無線ＬＡＮシステムは、インターネットサービスプロバイダを介して、無縁ＬＡＮ端末１にインターネット、或いは、社内イントラネットのようなネットワーク接続環境を提供する。
【００５０】
本発明の第３実施例では、無線ＬＡＮ端末１と無線ＬＡＮ基地局２との間に無線リンクが確立された段階で、無線ＬＡＮ基地局２から無線ＬＡＮ端末１へ端末識別情報又は端末アドレス、より具体的には、端末ＩＰアドレスが送信される（シーケンス（２））。
【００５１】
無線ＬＡＮ端末１のユーザが認証サーバ３において正当なユーザであることが確認されると（シーケンス（３））、無線ＬＡＮ基地局２から位置情報管理サーバ４へ、端末識別情報、すなわち、端末ＩＰアドレス及び無線ＬＡＮ基地局ＩＰアドレスが送信される（シーケンス（４））。
【００５２】
位置情報管理サーバ４は、無線ＬＡＮ基地局２の無線ＬＡＮ基地局ＩＰアドレスから無線ＬＡＮ端末１が接続している無線ＬＡＮ基地局を認識し、事前に格納している基地局位置情報と対応させる。尚、ここで、無線ＬＡＮ端末１の端末ＩＰアドレスにより、無線ＬＡＮ基地局配下の無線ＬＡＮ端末の識別も可能である。位置情報管理サーバ４は、無線ＬＡＮ端末１が接続されている無線ＬＡＮ基地局２の位置情報を、無線ＬＡＮ端末１の端末位置情報とする。位置情報管理サーバ４は、サービスアグリゲーションサーバ６に対して、提供情報の宛先である無線ＬＡＮ基地局ＩＰアドレス及び無線ＬＡＮ端末ＩＰアドレスを通知する（シーケンス（６））。
【００５３】
一方、認証サーバ３は、無線ＬＡＮ端末１のユーザの認証データを、個人識別・属性・履歴管理サーバ５へ送信する（シーケンス（５））。
【００５４】
個人識別・属性・履歴管理サーバ５は、認証サーバ３からの認証データに基づいてユーザ個人を識別（同定）し、かつ、位置情報管理サーバ４からの無線ＬＡＮ端末１の端末位置情報を記録する。さらに、個人識別・属性・履歴管理サーバ５は、各個人の属性情報（例えば、性別、年齢、職業、嗜好など）を事前に登録しておく機能を具備している。
【００５５】
このようにして、ある無線ＬＡＮ端末１のユーザが、その無線ＬＡＮ基地局２のカバーエリア内でその無線ＬＡＮ端末１を使用する状況において、本実施例の情報配信及びサービス提供システムの運用者は、無線ＬＡＮ端末１のユーザを識別し、ユーザの現在位置を取得し、そのユーザの個人属性情報を参照できるようになる。
【００５６】
個人識別・属性・履歴管理サーバ５は、対象ユーザの現在位置と、個人属性情報及び履歴情報とに基づいて、対象ユーザに適した情報を無線ＬＡＮ端末１へ送信するようにサービスアグリゲーションサーバ６へ指令するか、或いは、個人識別・属性・履歴管理サーバ５は、対象ユーザの現在位置と、事前に対象ユーザから要求された情報の種別とに基づいて、対象ユーザに適した情報を無線ＬＡＮ端末１へ送信するようにサービスアグリゲーションサーバ６へ指令する（シーケンス（７））。
【００５７】
サービスアグリゲーションサーバ６は、個人識別・属性・履歴管理サーバ５からの指令に従って、対象ユーザに有益な情報、及び／又は、サービスを選択し、選択情報として、無線ＬＡＮ基地局２を介して（シーケンス（９））、無線ＬＡＮ端末１へ送信する（シーケンス（１０））。
【００５８】
サービスアグリゲーションサーバ６から対象ユーザへ提供された情報、及び／又は、サービスの提供の実績は、情報提供ログとして個人識別・属性・履歴管理サーバ５へ通知され（シーケンス（８））、個人識別・属性・履歴管理サーバ５で管理される。
【００５９】
サービスアグリゲーションサーバ６は、定期的にサービス提供サーバ８から提供情報を受信、収集、アップデートする（シーケンス（１））。
【００６０】
個人識別・属性・履歴サーバ５で管理される識別情報には、例えば、契約者番号等個人を特定できる情報が含まれ、属性情報には、上述のような性別、年齢、出身地、趣味、職業等が含まれる。また、個人履歴情報としては、既にその個人に送信したＵＲＬ、ファイル名等の他に、その個人がその場所に来た回数や購入履歴等も含まれる。
【００６１】
購入履歴については、サービスアグリゲーションサーバ６、或いは、個人識別・属性・履歴管理サーバ５から、サービス提供サーバ７（すなわち、店舗等）に対して、特定個人の個人情報を提供し、かつ、サービス提供サーバ７から特定個人の購入情報を取得することによって、最終的に個人識別・属性・履歴サーバ５で管理される。購入履歴は、個人属性情報とはカテゴリーが異なる。属性情報は基本的に変わらないもので、データも更新する頻度も少ないが、履歴情報はデータとして常に更新される。この履歴情報は、購入実績に応じた割引、クーポンの発行やマーケット情報として有意な情報である。
【００６２】
サービスアグリゲーションサーバ６で管理されている情報には、例えば、ＵＲＬあるいはＨＴＴＰファイル（店舗宣伝等）、画像データ、クーポン等が含まれる。
【００６３】
本実施例によれば、特定の個人の現在位置と個人属性情報、履歴情報に基づいて、その個人に対して有意な情報をその個人の所有する無線ＬＡＮ端末１に対して送信することが可能になる。
【００６４】
図５は、本発明の第４実施例による位置情報に基づく情報配信及びサービス提供システムの構成図であり、図６は、そのシーケンス説明図である。本実施例のシステムは、位置情報を検出するための無線ＬＡＮシステムと、ユーザへ情報を送信するための携帯電話システムとをベースにして構築される。本実施例では、図３及び４を参照して説明した第３実施例のように無線ＬＡＮ端末１でサービスアグリゲーションサーバ５から情報を受けるのではなく、携帯電話基地局８を介してユーザの携帯電話機９で情報を受けるように構成される。
【００６５】
そのため、図６のシーケンス説明図に示されているように、個人識別・属性・履歴管理サーバ５は、個人識別情報の一部として、或いは、個人識別情報とは別個に、対象ユーザの携帯電話番号（又は、メールアドレス）をサービスアグリゲーションサーバ６へ通知する（シーケンス（７’））。
【００６６】
そして、サービスアグリゲーションサーバ６は、個人識別・属性・履歴管理サーバ５からの指令に従って、対象ユーザに有益な情報、及び／又は、サービスを選択し、選択情報として、携帯電話基地局８を介して（シーケンス（９’））、ユーザの携帯電話機９へ送信する（シーケンス（１０’））。
【００６７】
本実施例によれば、特定の個人の現在位置と個人属性情報、履歴情報に基づいて、その個人に対して有意な情報をその個人の所有する携帯電話機９に対して送信することが可能になる。
【００６８】
本発明の他の実施例によれば、ユーザ位置情報、ユーザ識別情報、ユーザ属性情報、及び、ユーザ履歴情報を連動させた情報配信システム、及び、サービス提供システムを実現することができる。
【００６９】
たとえば、本発明は、
（ｉ）来店履歴、購入履歴に応じたその場での電子クーポンの発行
（ｉｉ）購入履歴をベースとしたお奨め商品の提示
（ｉｉｉ）乗車回数、乗車距離のモニタリングとそれに応じた顧客サービスの提供
（ｉｖ）食品売り場でのレシピ情報の提供
（ｖ）ユーザ嗜好に応じたスポット情報提供
等に提供される。
【００７０】
これらの適用例によれば、サービス提供スポットの集客効果、売上増加、及び、宣伝効果による増収が期待できる。また、ユーザは、各種の情報提供、及び、各種のサービスを享受できる。さらに、サービス運営機関は、サービス提供者から、システム・インテグレーション費用やプラットフォーム利用費を収入として得るビジネスモデルを構築することができる。
【００７１】
以上、本発明の代表的な実施例を説明したが、本発明は、上記の実施例に限定されることなく、特許請求の範囲内において、種々変更・応用が可能である。
【００７２】
【発明の効果】
本発明によれば、ユーザのスポットエリア位置情報に基づいて、認証された特定のユーザに対し、スポット情報配信及びサービス提供を行うことが可能になる。
【図面の簡単な説明】
【図１】本発明の第１実施例による位置情報に基づく情報配信システムの構成図である。
【図２】本発明の第２実施例による位置情報に基づく情報配信方法のフローチャートである。
【図３】本発明の第３実施例による位置情報に基づく情報配信及びサービス提供システムの構成図である。
【図４】本発明の第３実施例による情報配信及びサービス提供システムのシーケンス説明図である。
【図５】本発明の第４実施例による位置情報に基づく情報配信及びサービス提供システムの構成図である。
【図６】本発明の第４実施例による情報配信及びサービス提供システムのシーケンス説明図である。
【符号の説明】
１    無線ＬＡＮ端末
２    無線ＬＡＮ基地局
３    認証サーバ
４    位置情報管理サーバ
４５    管理サーバ
５    個人識別・属性・履歴管理サーバ
６    サービスアグリゲーションサーバ
７    サービス提供サーバ
８    携帯電話基地局
９    携帯電話機
１０    無線ＬＡＮシステム
２０    無線ＬＡＮ基地局カバーエリア
【図１】
2004240708.tif 000003
【図２】
2004240708.tif 000004
【図３】
2004240708.tif 000005
【図４】
2004240708.tif 000006
【図５】
2004240708.tif 000007
【図６】
2004240708.tif 000008